(57)【要約】【課題】電線を挿入しやすくした間接活線作業用縁スリーブを提供する。【解決手段】張力が作用しない状態に架設される高圧電線１の接続用として用いられる間接活線作業用縁スリーブＳであって、導電性金属材からなるスリーブ本体２の少なくとも一端には、心線３の挿入が可能な切欠部４が形成されると共に、スリーブ本体２には、間接活線作業用把持具によって把持される際の滑り止め用の溝５が形成されている。その切欠部４は、スリーブ本体２の両端に形成されてもよい。【選択図】  図１
2007128800.tif 000002
【特許請求の範囲】
【請求項１】
張力が作用しない状態に架設される高圧電線（１）の接続用として用いられる間接活線作業用縁スリーブ（Ｓ）であって、
導電性金属材からなるスリーブ本体（２）の少なくとも一端には、心線（３）の挿入が可能な切欠部（４）が形成されることを特徴とする間接活線作業用縁スリーブ。
【請求項２】
前記スリーブ本体（２）には、間接活線作業用把持具によって把持される際の滑り止め用の溝（５）が形成されていることを特徴とする請求項１に記載の間接活線作業用縁スリーブ。
【発明の詳細な説明】
【技術分野】
【０００１】
本発明は、高圧引下線の電線接続用の間接活線作業用縁スリーブに関する。
【背景技術】
【０００２】
例えば、図４（ａ）（ｂ）に示すように、電柱１１の腕金１２と腕金１３の間に張力が作用しない状態で架設される高圧電線（例えば、高圧引下線）１の接続には、心線（３．２ｍｍφ）と同一素材からなる縁スリーブＳが使用される。なお、図４にて、符号１４は柱上変圧器（トランス）、１５は高圧カットアウトである。この縁スリーブＳは外径数ｍｍ、長さ５０ｍｍ程度の直円筒状に形成され、その接続作業は、例えば、以下のように行われる。
【０００３】
まず、直接作業により、送電が停止されている側の接続すべき電線先端の被覆を剥いで縁スリーブＳの半ばまで挿入し、圧着工具によって縁スリーブＳの外側を２箇所押しつぶすことによってスリーブ本体を心線に圧着させる。次いで、絶縁操作棒を用いた間接活線作業により、通電されている側の接続すべき電線先端の被覆を皮剥具によって剥いで心線を剥き出しにした後、縁スリーブＳに反対側の開口から挿入して圧着工具によって縁スリーブＳを２箇所押しつぶしてスリーブ本体を心線に圧着させるように行われる。
【０００４】
その間接活線作業は、通常、二人の作業者によって行われ、両作業者が絶縁ヤットコによって縁スリーブＳと接続すべき電線の先端をそれぞれ把持し、両作業者が目測によってタイミングを合わせて電線の先端を縁スリーブＳに挿入した後、絶縁操作棒に取り付けた圧着工具をバインド打ち器によって操作することで縁スリーブＳの外側を２箇所押しつぶして心線に圧着させる。その後、該縁スリーブＳを合成樹脂材からなるスリーブカバー（図示省略）で覆うことにより作業が終了する。
【０００５】
上述の間接活線作業では、電線を縁スリーブＳに挿入する作業が容易ではなかった。つまり、電線の先端と縁スリーブＳの対応状態（相対的な位置関係）を目視で的確に把握するのが容易ではなく、しかも、縁スリーブＳが直円筒状に形成されているため、その開口が狭い上に、挿入方向が縁スリーブＳの管軸方向に制約されるので、電線の先端を縁スリーブＳに適切に対応させても縁スリーブＳに挿入する作業そのものが容易ではなかった。
【０００６】
そこで、例えば、スリーブ本体の端部を喇叭状に形成した縁スリーブが提案されている（例えば、特許文献１参照）。この縁スリーブは、中央部の内径よりも大きい第２の内径を有する拡径部を中央部の両側に設け、さらにその拡径部の開口端部は、第２の内径から軸線方向外側に徐々に大きくなる喇叭状の第３の内径を有するように形成されている。このような構成により電線の先端を縁スリーブに対して挿入しやすくなるとされている。
【特許文献１】特開２００５−１８３３１４号公報
【発明の開示】
【発明が解決しようとする課題】
【０００７】
しかし、上述のように、スリーブ本体の端部を喇叭状に形成した場合においても、電線の挿入方向が縁スリーブＳの管軸方向のみに制約されるため、離れた位置から挿入動作を明確に確認できないことがあり挿入作業に困難性を伴うことがあった。また、挿入作業中に、表面が平滑な金属材からなる縁スリーブＳが絶縁ヤットコから滑って脱落することもあった。
【０００８】
本発明は、このような実情に鑑みてなされ、電線を挿入しやすくした間接活線作業用縁スリーブを提供することを目的とする。
【課題を解決するための手段】
【０００９】
（１）本発明の間接活線作業用縁スリーブは、張力が作用しない状態に架設される高圧電線１の接続用として用いられる間接活線作業用縁スリーブＳであって、
導電性金属材からなるスリーブ本体２の少なくとも一端には、心線３の挿入が可能な切欠部４が形成されることを特徴とする。
【００１０】
このような構成によれば、作業者は、絶縁ヤットコ等の間接活線作業用把持具で把持した高圧電線１の先端を、その切欠部４からスリーブ本体２内に容易に挿入することができる。その挿入動作は、スリーブ本体２の管軸方向に直交する方向への動作となるため、作業者は、その挿入動作を離れた位置からでも明確に確認することができ、迅速かつ確実な挿入操作が可能となる。
【００１１】
（２）前記スリーブ本体２には、間接活線作業用把持具によって把持される際の滑り止め用の溝５が形成されていてもよい。このようにすれば、接続作業中にスリーブ本体２が間接活線作業用把持具から脱落しにくくなる。
【発明の効果】
【００１２】
本発明の間接活線作業用縁スリーブは、スリーブ本体の少なくとも一端に電線の挿入が可能な切欠部を形成しているので、電線の先端を、その切欠部からスリーブ本体内に容易に挿入することができ、電線接続作業の能率が向上する。また、スリーブ本体に滑り止め用の溝を形成すれば、接続作業中にスリーブ本体が間接活線作業用把持具から脱落しにくくなる。
【発明を実施するための最良の形態】
【００１３】
以下に、本発明の最良の実施の形態に係る間接活線作業用縁スリーブ（以下、縁スリーブという）について図面を参照しつつ詳細に説明する。
図１は、縁スリーブＳの斜視図、図２（ａ）〜（ｃ）は電線接続作業の説明図である。これらの図に示す縁スリーブＳは、例えば、電柱１１の腕金１２と腕金１３の間に張力が作用しない状態で架設される高圧引下線等の高圧電線１の接続に用いられ（図４（ａ）参照）、接続すべき高圧電線１の心線３と同一素材（導電性金属材）からなるスリーブ本体２の一端開口部は喇叭状に形成され、かつ、その喇叭状部２ａには、例えば、３．２ｍｍφ程度の心線３を横方向（スリーブ本体２の管軸方向に直交する方向）から挿入可能な切欠部４（幅，深さ４〜５ｍｍ程度）が形成されている。そして、絶縁ヤットコ等の間接活線作業用把持具で把持される部分には、滑り止め用のローレット溝５が形成されている。なお、符号２ｂはスリーブ本体２の中央部に内突状に形成されたストッパである。
【００１４】
このような縁スリーブＳによる高圧電線１の接続作業は、例えば、図２（ａ）〜（ｃ）に示すように行われる。まず、直接作業により、スリーブ本体２の喇叭状部２ａが形成されていない側から、送電が停止されている側の接続すべき電線先端の被覆３ａを剥いで縁スリーブＳの半ばまで（ストッパ２ｂまで）挿入し、圧着工具によって縁スリーブＳの外側を２箇所６，６押しつぶすことによってスリーブ本体２を心線３に圧着させる。次いで、絶縁操作棒を用いた間接活線作業により、通電されている側の接続すべき電線先端の被覆３ａを公知の皮剥具によって剥いだ後、縁スリーブＳの喇叭状部２ａに形成されている切欠部４から挿入する（図２（ａ）〜（ｂ）参照）。
【００１５】
その間接活線作業による挿入作業は、例えば、二人の作業者によって行われ、両作業者が絶縁ヤットコ等の間接活線作業用把持具によって縁スリーブＳと接続すべき電線先端をそれぞれ把持し、両作業者が目測によってタイミングを合わせて電線先端を縁スリーブＳの拡径された喇叭状部２ａに対して位置合せした後、縁スリーブＳに挿入するように行われる。その際、電線先端を、喇叭状部２ａに形成されている切欠部４からスリーブ本体２の管軸方向に直交する方向（横方向）から挿入することができる。
【００１６】
その挿入動作は、スリーブ本体２に対して横方向の動作となるため、作業者は、その挿入動作を離れた位置からでも明確に確認することができ、迅速かつ確実な挿入操作が可能となる。なお、従来のように、電線先端をスリーブ本体２の管軸方向に挿入してもよく、その時の作業条件に応じて何れか適切な挿入方法を採ることができる。そして、スリーブ本体２の外周面には、滑り止め用のローレット溝（本発明の溝）５が形成されているため、挿入作業中に縁スリーブＳが脱落するのが防止される。なお、ローレット溝５に代えて横方向の溝（図示省略）を形成してもよく、スリーブ本体２の外周面を粗面状に形成してもよい。
【００１７】
通電されている側の接続すべき心線３の先端をスリーブ本体２へ挿入した後は、絶縁操作棒に取り付けた圧着工具をバインド打ち器によって操作することで縁スリーブＳの外側の２箇所６，６を押しつぶして挿入された心線３に圧着させる。これにより、心線３，３同士の接続作業は完了する。その後、該縁スリーブＳを合成樹脂材からなるスリーブカバー７で覆うことにより作業が終了する（図２（ｃ）参照）。このように、本縁スリーブＳを用いた電線接続作業では、間接活線作業でのスリーブ本体２への電線先端の挿入作業が容易になるため接続作業の能率が顕著に向上する。
【００１８】
図３は異なる実施の形態を示し、この例では、縁スリーブＳのスリーブ本体２の両端に喇叭状部２ａ，２ａを形成し、通電されている側同士の電線接続作業を間接活線作業で可能となるようにしている。この場合、何れか一方の電線先端をスリーブ本体２に挿入して該スリーブ本体２を心線３に圧着固定した後、他方の電線先端をスリーブ本体２に挿入してその心線３にスリーブ本体２を圧着させるようにすればよい。
【００１９】
なお、本発明は、実施の形態に限定されることなく、発明の要旨を逸脱しない限りにおいて、適宜、必要に応じて、設計変更や改良等を行うのは自由であり、例えば、電線先端のスリーブ本体２への挿入作業をより一層容易とするために、喇叭状部２ａが形成されるスリーブ本体２の端部を中央部よりも拡径した拡径部（図示省略）に形成してもよい。
【図面の簡単な説明】
【００２０】
【図１】本発明の実施の形態に係る縁スリーブの斜視図である。
【図２】同電線接続作業の説明図で、（ａ）は電線先端を縁スリーブに対応させた状態、（ｂ）は電線先端を縁スリーブに挿入した状態、（ｃ）は両心線にスリーブ本体を圧着させた状態（の断面図）を示す。
【図３】同縁スリーブの異なる実施の形態を示す。
【図４】（ａ）は電柱の腕金に張力が作用しない状態に架設された高圧電線、（ｂ）は従来の縁スリーブを示す。
【符号の説明】
【００２１】
１…高圧電線、２…スリーブ本体、３…心線、４…切欠部、５…溝、Ｓ…間接活線作業用縁スリーブ
【図１】
2007128800.tif 000003
【図２】
2007128800.tif 000004
【図３】
2007128800.tif 000005
【図４】
2007128800.tif 000006